(57)【要約】【課題】ペーパホルダと記録紙ロールのスリップを防止する。【解決手段】ペーパホルダは、オスホルダ３７，メスホルダ３９からなる。各ホルダ３７，３８は、巻芯１７に記録紙が巻き付けられた記録紙ロール１６の両端にはめ込まれる。メスホルダ３７の係合部３８に、巻芯１７の内周を押圧して、巻芯１７とペーパホルダのスリップを防止するスリップ防止部材（抜け止め部材）５６が設けられている。スリップ防止部材５６は、板バネ４０で、押圧部５６ａが巻芯１７の内周を押圧する方向に付勢される。また、スリップ防止部材５６は、オスホルダ３７とメスホルダ３９が取り付けられたときに、係合軸３６の外周で押され、押圧部５６ａが巻芯１７に強い力で圧着する。【選択図】図１
2007051012.tif 000002
【特許請求の範囲】
【請求項１】
中空状の巻芯に長尺の記録紙が巻き付けられた記録紙ロールの両端に取り付けられる一対のペーパホルダからなり、前記記録紙ロールを回転自在に保持するペーパホルダ装置において、
前記一対のペーパホルダは、前記巻芯と嵌合して前記両端に取り付けられ、その取り付け時に前記巻芯内で係合する係合軸及び係合穴をそれぞれ有するオスホルダ及びメスホルダからなり、
前記係合穴が形成された係合部の外周には、前記係合軸との係合に連動して、前記巻芯に押し付けられる方向に変位して前記巻芯の内周を押圧することにより、前記巻芯と前記ペーパホルダとが回転する際に両者のスリップを防止するスリップ防止部材が設けられていることを特徴とするペーパホルダ装置。
【請求項２】
前記オスホルダ及びメスホルダには、それぞれ前記巻芯の内周面と嵌合するコア部が設けられており、前記コア部は、前記巻芯に挿入する挿入方向に沿って徐々に外径が大きくなるように外周面がテーパ形状にされていることを特徴とする請求項１記載のペーパホルダ装置。
【請求項３】
前記スリップ防止部材に形成され前記巻芯の内周を押圧する押圧部には、複数の爪が形成されており、前記巻芯の内周面に食い込むようにしたことを特徴とする請求項１又は２記載のペーパホルダ装置。
【発明の詳細な説明】
【技術分野】
【０００１】
本発明は、本発明は、感熱記録紙や印画紙等の記録紙ロールを回動自在に保持するために用いられる記録紙ロール用のペーパホルダ装置に関するものである。
【背景技術】
【０００２】
写真プリンタやカラー感熱プリンタでは、長尺の記録紙をロール状に巻いた記録紙ロールが使用され、プリント後に規定サイズのシートペーパにカットしている。
【０００３】
この記録紙ロールは、紙又はプラスチックの巻芯に長尺の記録紙が巻き付けられている。印画紙やカラー感熱記録紙は、感光性や光定着性が付与されているため、記録紙ロールは、保湿性能と遮光性能とを備えた記録紙ロール用給紙マガジン（以下、給紙マガジンという。）に収納された状態でプリンタにセットされる。
【０００４】
給紙マガジンには、記録紙ロールを回転させるロール駆動機構が内蔵されており、記録紙ロールは、プリンタ側からの駆動によってこのロール駆動機構を介して回転される。給紙マガジンに記録紙ロールをセットする際には、記録紙ロールが回動自在に支持されるように、その両端には、それぞれ回転軸を備えた記録紙ロール用のペーパホルダが取り付けられる。このペーパホルダの記録紙ロールへの取り付けは、まず、一方のペーパホルダを中空状の巻芯の一方の端部から嵌合させ、その後、もう一方のペーパホルダを前記巻芯の他方の端部から嵌合させることにより行われる。
【特許文献１】特開平１０−２９１７０６号公報
【発明の開示】
【発明が解決しようとする課題】
【０００５】
しかしながら、ペーパホルダと巻芯との嵌合が緩いと、記録紙ロールへ片方のペーパホルダを取り付けた後、もう片方のペーパホルダを取り付ける際に、既に取り付け済みのペーパホルダが巻芯から抜け出て落下させてしまうことがある。
【０００６】
また、両方のペーパホルダを取り付けた記録紙ロールを持ち運んだり、給紙マガジンにセットする際に、ペーパホルダと巻芯との嵌合が緩いと、ペーパホルダと記録紙ロールとの嵌合がはずれて、記録紙ロールあるいはペーパホルダを落下させてしまうおそれがある。
【０００７】
このため、ペーパホルダの取り付け時には、既に取り付け済みのペーパホルダを片手で押さえながら、もう片方のペーパホルダを取り付けるようにしなければならないので、取り付けしにくい。また、両方のペーパホルダを取り付けた記録紙ロールを持ち運ぶ際には、両方のペーパホルダとともに記録紙ロールをも支えながら、記録紙ロールとペーパホルダとの嵌合がはずれないように慎重に行わなければならないので、持ち運びや、給紙マガジンへのセットがしにくい。
【０００８】
本発明は、ペーパホルダが記録紙ロールに取り付けられた際に、記録紙ロールへしっかりと固定されるペーパホルダ装置を提供することを目的とするものである。
【０００９】
また、本発明の目的は、ペーパホルダが記録紙ロールに取り付けられた際に、ペーパホルダと巻芯のスリップを防止することである。
【課題を解決するための手段】
【００１０】
上記課題を達成するために、本発明のペーパホルダ装置は、中空状の巻芯に長尺の記録紙が巻き付けられた記録紙ロールの両端に取り付けられる一対のペーパホルダからなり、前記記録紙ロールを回転自在に保持するペーパホルダ装置において、前記一対のペーパホルダは、前記巻芯と嵌合して前記両端に取り付けられ、その取り付け時に前記巻芯内で係合する係合軸及び係合穴をそれぞれ有するオスホルダ及びメスホルダからなり、前記係合穴が形成された係合部の外周には、前記係合軸との係合に連動して、前記巻芯に押し付けられる方向に変位して前記巻芯の内周を押圧することにより、前記巻芯と前記ペーパホルダとが回転する際に両者のスリップを防止するスリップ防止部材が設けられていることを特徴とするものである。
【００１１】
前記オスホルダ及びメスホルダには、それぞれ前記巻芯の内周面と嵌合するコア部が設けられており、前記コア部は、前記巻芯に挿入する挿入方向に沿って徐々に外径が大きくなるように外周面がテーパ形状にされていることが好ましい。
【００１２】
前記スリップ防止部材に形成され前記巻芯の内周を押圧する押圧部には、複数の爪が形成されており、前記巻芯の内周面に食い込むようにしたことが好ましい。
【発明の効果】
【００１３】
以上詳細に説明したように、本発明のペーパホルダ装置は、記録紙ロールの巻芯と嵌合してその両端に取り付けられ、前記巻芯内で係合する係合軸及び係合穴をそれぞれ有するオスホルダ及びメスホルダからなり、前記係合穴が形成された係合部の外周には、前記係合軸との係合に連動して、前記巻芯に押し付けられる方向に変位して前記巻芯の内周を押圧することにより、前記巻芯と前記ペーパホルダとが回転する際に両者のスリップを防止するスリップ防止部材を設けたから、記録紙ロールが回転する際に、巻芯とホルダのスリップを防止することができる。
【発明を実施するための最良の形態】
【００１４】
図２及び図３は、カラー感熱プリンタで用いられる給紙マガジン３の外観を示すものである。この給紙マガジン３は、保湿性と遮光性とを有するプラスチックで成形された箱形のマガジン本体５と、このマガジン本体５を開閉するマガジン蓋６とから構成されている。給紙マガジン３は、マガジン蓋６に設けられたグリップ４を握持してカラー感熱プリンタにセットされる。
【００１５】
マガジン蓋６は、マガジン本体５にヒンジ部８を介して取り付けられて開閉自在となっている。マガジン蓋には、給紙マガジン３内を光密に維持するとともに、湿気やゴミ等の侵入を防止するパッキンが嵌め込まれている。マガジン本体５の前面には、ロック部材１０が取り付けられている。このロック部材１０は、マガジン蓋６が閉じられた状態で、マガジン蓋６の前面の端部に形成された突条部６ａに掛けられ、マガジン蓋６が不用意に開放しないようにロックする。
【００１６】
この給紙マガジン３には、長尺のカラー感熱記録紙１４をロール状に巻いた記録紙ロール１６が収納される。記録紙ロール１６は、カラー感熱記録紙１４と、これを巻き付けるための巻芯１７とからなる。この巻芯１７の材料としては、例えば、紙やプラスチック等が使用される。
【００１７】
記録紙ロール１６を給紙マガジン３にセットする場合には、この記録紙ロール１６の両端に１対のペーパホルダ１８が取り付けられる。なお、図示しないが、マガジン本体５の底面には、カラー感熱記録紙１４が給紙マガジン３に出入りする記録紙出入口が設けられている。
【００１８】
１対のペーパホルダ１８は、それぞれその内部に回転軸を備えており、記録紙ロール１６を回動自在に保持する。また、１対のペーパホルダ１８には、それぞれハンドル２１が取り付けられている。ハンドル２１は、ペーパホルダ２１を記録紙ロール１６に取り付けたときに、それぞれが記録紙ロール１６の端面を押さえつける方向に揺動自在に設けられている。
【００１９】
このハンドル２１を両手で持って記録紙ロール１６を持ち上げると、記録紙ロール１６の重さによってハンドル２１が揺動し、それによって記録紙ロール１６の両端が押さえつけられて、記録紙ロール１６の端面が揃えられる。記録紙ロール１６は、このハンドル２１を両手で持った状態でセットされるので、その端面が揃えられた状態を維持したまま給紙マガジン３に収納される。
【００２０】
記録紙ロール１６の端面が揃っていないと、その状態でカラー感熱記録紙１４が引き出された時に、前記記録紙１４が斜行する原因となったり、その状態で記録紙ロール１６が回転してしまう場合には、給紙マガジン３内におけるジャミングの発生原因となる。このため、ハンドル２１が取り付けられることによって、記録紙ロール１６は、その端面が揃えられた状態で給紙マガジン３にセットされるので、斜行やジャミングの発生が防止される。
【００２１】
マガジン本体５内の両側には、記録紙ロール１６を支持する一対の支持板２２，２３が設けられている。これらの支持板２２，２３には、ペーパホルダ２０が挿入されるスリット２２ａ，２３ａが形成されている。また、これらの支持板２２，２３には、バネの付勢によってペーパホルダ２０に当接し、記録紙ロール１６を支持板２２，２３のスリット２２ａ，２３ａに沿って押圧して、所定の位置に片寄せする片寄せ部材２６，２７がそれぞれ回動自在に取り付けられている。この片寄せ部材２６，２７は、その一端がマガジン蓋６に取り付けられており、マガジン蓋６の開閉に連動して移動するようになっている。
【００２２】
また、図４に示すように、マガジン本体５内には、記録紙ロール１６の外周に当接して、記録紙ロール１６を給紙方向と巻戻し方向とに回転させる駆動ローラ２９が回転自在に組み込まれている。この駆動ローラ２９は、鉄製の棒の外周に、ゴム等の被覆材で被覆を施してスリップを防止した構造となっている。この駆動ローラ２９の一端はマガジン本体５外に突出されており、この突出された駆動ローラ２９の端部には、カラー感熱プリンタにセットされた際にプリンタの駆動機構に噛合するギヤ３２が取り付けられている。
【００２３】
上記支持板２２，２３のスリット２２ａ，２３ａは、駆動ローラ２９に向かって形成されている（図３参照）。そのため、カラー感熱記録紙１４が使用されて記録紙ロール１６の径が小さくなると、記録紙ロール１６は、バネの付勢によって回動する片寄せ部材２６，２７に押されてスリット２２ａ，２３ａ内を移動し、その外周が常に駆動ローラ２９に接触する。これにより、使用初期から使用終了まで、駆動ローラ２９は記録紙ロール１６を適正に回転させることができる。
【００２４】
給紙マガジン３をプリンタにセットすると、ギア３２とプリンタの駆動機構とが係合する。この係合によりギア３２が駆動されて記録紙ロール１６が回転する。この記録紙ロール１６の回転により、カラー感熱記録紙１４の先端が記録紙出入り口を通ってプリント部に給紙される。
【００２５】
図５に示すように、カラー感熱記録紙１４を巻き付ける巻芯１７は中空状に形成されており、ペーパホルダ１８は、この巻芯１７の穴と嵌合して記録紙ロール１６に取り付けられる。ペーパホルダ１８は、係合軸３６を備えたオス型のホルダ（以下、オスホルダという）３７と、この係合軸３６と係合する係合部３８を備えたメス型のホルダ（以下、メスホルダという）３９とからなる。
【００２６】
係合部３８には、係合軸３６が挿入される係合穴４０が形成されている。この係合軸３６と係合穴４０とが巻芯１７の内部で係合して、各ペーパホルダ３７，３９が記録紙ロール１６に取り付けられる。
【００２７】
図６に示すように、オスホルダ３７，メスホルダ３９は、それぞれコア部４１，４２、軸支部４３，４４を備えている。オスホルダ３７，メスホルダ３９は、その主要部分が、例えば、プラスチック等で成形される。コア部４１，４２は、巻芯１７の内周と摺接してそれと嵌合する部分であり、この嵌合により記録紙ロール１６とともに回転する。軸支部４３，４４は、それぞれ回転軸４６，４７を回動自在に支持する。各回転軸４６，４７は、各々のコア部４１，４２に挿通されており、その一端がそれぞれネジ４８，４９でネジ止めされて各コア部４１，４２と固定される。
【００２８】
また、各回転軸４６，４７は、クラッチ機構を構成するクラッチ部材５１，５２を介して軸支部４３，４４に取り付けられている。クラッチ部材５１，５２は、コイルやクラッチ板などから構成される。このクラッチ部材５１，５２により、回転軸４６，４７の回転が、カラー感熱記録紙１４を引き出す方向（給紙方向）に回転させる際には重く、この反対に、それを巻き戻す方向（巻き戻し方向）に回転させる際には軽くなる。
【００２９】
各軸支部４３，４４が、それぞれ支持板２２，２３のスリット２２ａ，２３ａに挿入されて、記録紙ロール１６は給紙マガジン３にセットされる。これにより、駆動ローラ２９が回転すると、記録紙ロール１６，各コア部４１，４２、各回転軸４６，４７が一体となって回転する。
【００３０】
オスホルダ３７のコア部４１は、メスホルダ３９のコア部４２よりも軸方向に短く形成されている。このコア部４１の端部に係合軸３６が設けられる。他方、メスホルダ３９のコア部４２の一方の端部には係合部３８が設けられる。このコア部４２のもう一方の端部には、コア部４２を巻芯１７に嵌合させたときに、巻芯１７の端面と当接してメスホルダ３９の嵌合位置を決める位置決め用のフランジ４２ａが形成されている。
【００３１】
各ホルダ３７，３９を記録紙ロール１６に取り付ける場合には、まず、メスホルダ３９を取り付けて、その後にオスホルダ３９を取り付ける。メスホルダ３９がフランジ４２ａによって最初に位置決めされるので、後から取り付けられるオスホルダ３９もその反射として位置決めが行われる。
【００３２】
メスホルダ３９の係合部３８には、係合穴４０が形成される係合筒５５の外周に、抜け止め部材５６とラッチ部材５７とが設けられている。ラッチ部材５７は、係合軸３６が挿入されたときに、結合軸３６の外周に形成された溝３６ａと係合して結合軸３６と係合穴４０とが抜けないようにするためのものである。
【００３３】
ペーパホルダ１８の垂直方向の断面を示す図７において、ラッチ部材５７は、係合５５の外周に一体成型で設けられており、その一部が係合筒５５に形成された開口５５ａを通って内周面から突出している。この突出部５７ａが溝３６ａと係合する。
【００３４】
係合軸３６を係合穴４０に挿入すると、係合軸３６の外周面に突出部５７ａが押されて、ラッチ部材５７が弾性変形する。さらに挿入して、溝３６ａと突出部５７ａとが対向する位置にくると、ラッチ部材５７の弾性力により溝３６ａに突出部５７ａが入り込んでそれらが係合し、係合軸３６がラッチされる。このラッチによりオスホルダ３７とメスホルダ３９とが不用意にはずれないようにするとともに、オスホルダ３７の嵌合位置を決定し、記録紙ロール１６の回転中に、オスホルダ３７の嵌合位置がズレないようにしている。
【００３５】
また、ペーパホルダ１８の水平方向の断面を示す図８において、抜け止め部材５６は、メスホルダ３９を巻芯１７に嵌合したときに、巻芯１７の内周を押圧することで、メスホルダ３９が巻芯１７から抜けないようにするためのものである。抜け止め部材５６は、軸５８を中心に揺動自在に取り付けられている。この抜け止め部材５６は、例えば、金属製の板で形成されており、巻芯１７の内周を押圧する押圧部５６ａと、係合軸３６が係合穴４０に挿入された時に、係合軸３６の外周に押圧されて抜け止め部材５６を揺動させるための被押圧部５６ｂとが設けられている。
【００３６】
係合穴４０と係合軸３６とが係合される前および係合された後の抜け止め部材５６の動きを示す図１および図９において、まず、図１に示すように、押圧部５６ａは、係合部３８に形成された開口３８ａを通って、係合部３８の内部からその外部へ突出する。また、被押圧部５６ｂは、係合筒５５に形成された開口５５ａを通って、係合筒５５の外部からその内部へ突出する。また、係合部３８には、軸５８を取り付けるための軸取り付け部６１が設けられている。この軸取り付け部６１が設けられた部分は、係合部３８の前面側から取り付けられるようになっている。軸取り付け部６１は、弾性変形しながら軸５８を挟み込んでそれを支持する。
【００３７】
抜け止め部材５６の取り付けは、まず、軸５８を挿通した抜け止め部材５６を係合部３８の背面から係合部３８の内部に挿入し、押圧部５６ａ，被押圧部５６ｂをそれぞれ開口３８ａ，５５ｂから突出させる。次に、軸取り付け部６１が、係合部３８の前面から、軸３８を挟み込みながら取り付けられる。この取り付けにより、抜け止め部材５６は、揺動自在に支持される。
【００３８】
また、抜け止め部材５６は、板バネ５９によって、その押圧部５６ａが巻芯１７の内周を押圧する方向に付勢されている。この付勢により、抜け止め部材５６が巻芯１７の内周を押圧することで、巻芯１７と勘合したメスホルダ３９の抜け止めをしている。板バネ５９は、その一端を係合筒５５の外周に形成された取り付け部５５Ｃにさし込んで取り付けられる。
【００３９】
また、押圧部５６ａには、複数の爪が形成されており、板バネ５９の付勢力によって押圧部５６ａが巻芯１７の内周に食い込むようになっている。この押圧部５６ａの形状や、板バネ５９の付勢により、抜け止め部材５６は、メスホルダ３９が巻芯１７に勘合したときにその自重でメスホルダ３９が巻芯１７から抜け落ちてしまったり、あるいは、メスホルダ３９を取り付けた後に、オスホルダ３７を取り付ける際に、オスホルダ３７に押されてメスホルダ３９が巻芯から抜け出てしまうことがない程度の保持力を発生する。なお、爪は複数でなくてもよく、１つだけでもよい。
【００４０】
また、図９に示すように、係合軸３６が係合穴４０に挿入されると、係合軸３６の外周によって被押圧部５６ｂが押圧され、押圧部５６ａが巻芯１７の内周を押圧する方向に抜け止め部材５６が揺動する。これにより、押圧部５６ａがさらに巻芯１７の内周に食い込んで、抜け止め部材５６の保持力が増加する。この保持力の増加によりメスホルダ３９が確実に抜け止めされる。また、この保持力の増加により、巻芯１７とメスホルダ３９とが確実に嵌合するので、記録紙ロール１６が回転する際に、それらがスリップしてしまうようなことがなくなる。
【００４１】
この抜け止め部材５６は、係合筒４０を挟んで対向する位置に、それぞれ２つずつ設けられているが、この抜け止め部材５６が設けられる位置や数は、メスホルダ３９の重さ等に応じて任意に選択される。
【００４２】
次に、上記構成の作用について説明する。記録紙ロール１６を給紙マガジン３へセットする場合は、まず、ロック部材１０のロックを外してマガジン蓋６を開放する。マガジン蓋６を開放すると、この開放に連動して、片寄せ部材２６，２７がバネ２４の付勢に抗してマガジン蓋６側に揺動する。これにより、支持板２２，２３のスリット２２ａ，２３ａが開放される。
【００４３】
マガジン蓋６を開放したら、次に、記録紙ロール１６にペーパホルダ１８を取り付ける。まず、メスホルダ３９を記録紙ロール１６の一端から挿入して、巻芯１７とコア部４２とを嵌合させる。そして、フランジ４２ａと巻芯１７の端面とが当接する位置までメスホルダ３９を押し込む。これにより、メスホルダ３９が位置決めされる。
【００４４】
また、メスホルダ３９と巻芯１７とを嵌合させると、板バネ５９によって抜け止め部材５６が付勢され、その押圧部５６ａが巻芯１７の内周に押しつけられる。この押しつけによって、メスホルダ３９と巻芯１７とが確実に固定される。このため、メスホルダ３９がその自重によって巻芯１７から抜け出て落下してしまうようなことはない。
【００４５】
メスホルダ３９を取り付けた後に、オスホルダ３７を取り付ける。この取り付け時には、既に巻芯１７に取り付けられたメスホルダ３９を手で支えることなく、記録紙ロール１６だけを保持しても、抜け止め部材５６によってメスホルダ３９は抜け止めされているので、メスホルダ３９が巻芯１７から抜け出て落下してしまうようなことはない。このため、オスホルダ３７を取り付ける作業に意識を集中することができるので、オスホルダ３７の取り付け作業が容易になる。
【００４６】
オスホルダ３７を巻芯１７に取り付ける際には、係合穴４０に係合軸３６を挿入して、係合軸３６がラッチ部材５７によってラッチされる位置まで押し込む。係合軸３６が押し込まれると、その外周が被押圧部５６ｂを押圧して、押圧部５６ａが巻芯１７の内周に押しつけられる方向に抜け止め部材５６を揺動させる。この押圧により押圧部５６ａが巻芯１７にさらに押しつけられて、メスホルダ３９と巻芯１７とが確実に固定される。
【００４７】
このオスホルダ３７の取り付け時には、メスホルダ３９を押圧することになるが、メスホルダ３９は、抜け止め部材５６によって抜け止めされているので、オスホルダ３７による取り付け時の押圧によって、その嵌合位置がズレてしまうようなことはない。
【００４８】
また、既に取り付けられたメスホルダ６９は位置決めされているので、オスホルダ３７をその係合軸３６がラッチ部材５７によってラッチされる位置まで押し込むことで、オスホルダ３７も位置決めされる。このため、オスホルダ３７も嵌合位置を意識することなく位置決めされるので、取り付け作業が容易になる。
【００４９】
記録紙ロール１６は、ペーパホルダ１８が取り付けられると、給紙マガジン３にセットされる。ハンドル２１を両手で持って記録紙ロール１６を持ち上げると、記録紙ロール１６の自重によって、ハンドル２１が揺動して記録紙ロール１６の端面に押し当てられる。これにより、記録紙ロール１６が巻き緩んでその端面が竹の子状に突き出されているような場合には、その端面が揃えられる。
【００５０】
記録紙ロール１６は、ハンドル２１で保持された状態で、ペーパホルダ１８の各軸支部４３，４４をスリット２２ａ，２３ａに収めて、給紙マガジン３にセットされる。給紙マガジン３にセットされるまで、ハンドル２１によってロールの端面が押さえられているので、その端面が揃えられた状態でセットされる。これにより、カラー感熱記録紙１４の斜行や、給紙マガジン３の内部でのジャミングが防止される。
【００５１】
また、ペーパホルダ１８を取り付けた記録紙ロール１６を持ち運んだり、給紙マガジン３にセットする場合でも、ペーパホルダ１８は抜け止め部材５６で記録紙ロール１６に抜け止めされているので、両者の嵌合がはずれて記録紙ロール１６を落下させてしまうようなことはない。
【００５２】
記録紙ロール１６が収納された給紙マガジン３をカラー感熱プリンタにセットすると、プリンタ内の駆動機構が給紙マガジン３の駆動軸２９に同軸で設けられたギヤ３２に噛合する。カラー感熱プリンタにプリント指示がなされると、プリンタの駆動機構が作動して、駆動ローラ２９が回転する。この駆動ローラ２９の回転により記録紙ロール１６が回転して、カラー感熱記録紙１４が記録紙出入り口から給紙マガジン３外に送り出される。
【００５３】
給紙マガジン３から送り出されたカラー感熱記録紙１４は、カラー感熱プリンタによってフルカラー画像が熱記録され、規定のプリントサイズにカットされてプリンタ外に排出される。プリントが終了すると、カラー感熱プリンタの駆動機構は、ギヤ３２を給紙方向と反対の巻き戻し方向に回転させ、カラー感熱記録紙１４を給紙マガジン３内に巻き戻す。
【００５４】
このプリント時においても、ペーパホルダ１８は、その抜け止め部材５６によって巻芯１７にしっかりと固定されているから、記録紙ロール１６の回転中にペーパホルダ１８がスリップしてしまうことはないし、また、その嵌合位置がズレてしまうようなこともない。
【００５５】
なお、上記実施形態では、抜け止め手段の付勢力を板バネによって発生させているが、板バネでなくてもよく、例えば、コイルバネ等を使用してもよい。また、抜け止め手段それ自体の弾性を利用して付勢力を発生させてもよい。
【００５６】
なお、上記実施形態では、記録紙ロールに取り付けた時に互いに係合するオスホルダとメスホルダとからなるペーパホルダの例で説明しているが、記録紙ロールに取り付けた時に係合しない１対のホルダからなるペーパホルダでもよい。
【００５７】
なお、上記各実施形態は、カラー感熱記録紙を収納する給紙マガジンを例に説明したが、本発明は、印画紙を収納する給紙マガジンや、その他の記録紙ロール及びこれを収納する給紙マガジンにも用いることができる。
【図面の簡単な説明】
【００５８】
【図１】ペーパホルダを記録紙ロールへ取り付ける時の抜け止め部材の作用を示す要部断面図である（取り付け前）。
【図２】給紙マガジンの外観を示す斜視図である。
【図３】マガジン蓋を開けた状態の給紙マガジンの外観を示す斜視図である。
【図４】記録紙ロールをセットした給紙マガジンの断面の概略図である。
【図５】記録紙ロールとペーパホルダの外観斜視図である。
【図６】ペーパホルダの分解斜視図である。
【図７】ペーパホルダの垂直方向の断面図である。
【図８】ペーパホルダの水平方向の断面図である。
【図９】ペーパホルダを記録紙ロールへ取り付ける時の抜け止め部材の作用を示す要部断面図である（取り付け後）。
【符号の説明】
【００５９】
３  給紙マガジン
１６  記録紙ロール
１８  ペーパホルダ
３６  係合軸
３７  オスホルダ
３８  係合部
３９  メスホルダ
４０  係合筒
５６  抜け止め部材（スリップ防止部材）
５６ａ  押圧部
５６ｂ  被押圧部
５７  ラッチ部材
【図１】
2007051012.tif 000003
【図２】
2007051012.tif 000004
【図３】
2007051012.tif 000005
【図４】
2007051012.tif 000006
【図５】
2007051012.tif 000007
【図６】
2007051012.tif 000008
【図７】
2007051012.tif 000009
【図８】
2007051012.tif 000010
【図９】
2007051012.tif 000011